(57)【要約】      （修正有）【課題】周波数が可変な複数チャネルの信号を合成／分離するようにした無線装置で、隣接チャネルの間隔が小さくなりフィルタ特性の干渉による乱れがあるとき、実際に通信可能な程度の乱れがあっても規格はずれとしないようにする。【解決手段】可変空洞共振器により構成された帯域通過フィルタ１〜４の各同調周波数を、駆動回路７がモータ５を制御してｆ−ＤＡＴＡの指示値となるように設定したのち、隣接チャネル間隔が狭くて２つの帯域通過フィルタ特性に乱れが生じうるときには、発振器１０から当該帯域通過フィルタの同調周波数をもつテスト信号を切替スイッチ１１を介して当該帯域通過フィルタへ入力し、次にその出力レベルを高周波検出器１２で検出して監視しながらモータ５を微小量うごかして高周波検出器検出レベルが極大となるように制御して、帯域通過フィルタの同調周波数に於ける出力が特性乱れにより生じた谷間には位置しないようにする。【選択図】図１
2006246274.tif 000002
【特許請求の範囲】
【請求項１】
複数信号の送受信を行うための、その各々が可変空洞共振器により構成され、かつ１つの高周波結合器に接続された複数の帯域通過フィルタと、前記可変空洞共振器の各々を制御して前記帯域通過フィルタの各々が入力された指示周波数をその同調周波数としてもつようにするための制御手段とを備えた無線装置の可変空洞共振器の同調方法であって、
前記指示周波数のテスト信号を出力可能な発振器と、この発振器出力を前記帯域通過フィルタの任意の１つに入力できるようにするための切替スイッチと、この切替スイッチを介して１つの帯域通過フィルタに入力された前記発振器からのテスト信号の当該帯域通過フィルタ通過後のレベルを検出する高周波検出器とを設けるとともに、
前記入力された指示周波数が前記帯域通過フィルタの同調周波数となるように前記制御手段による第１の制御を行ったのち、その同調周波数が隣接している２つの帯域通過フィルタ特性に乱れが生じる場合には、当該帯域通過フィルタの各々について、その帯域通過フィルタに指示された同調周波数と同じ周波数をもつテスト信号を前記発振器から出力して当該帯域通過フィルタへ入力するように前記制御手段により制御し、さらに前記第１の制御により設定した同調周波数を微小量変化させて前記高周波検出器の検出レベルを監視し、この検出レベルが極大値となった周波数を当該帯域通過フィルタの同調周波数とするように前記制御手段により制御することを特徴とする可変空洞共振器の同調方法。
【発明の詳細な説明】
【技術分野】
【０００１】
本発明は、可変空洞共振器の同調方法に係り、とくにその各々が可変空洞共振器により構成された複数の帯域通過フィルタの出力を合成するように構成した回路において、可変空洞共振器の同調周波数を可変設定するときの可変空洞共振器の同調方法に関する。
【背景技術】
【０００２】
図２は、複数の高周波信号Ｓ１〜Ｓ４の各々を帯域通過フィルタ（ＢＰＦ）１〜４で帯域制限したのち高周波結合器８で結合し、アンテナ９から送信するとともに、アンテナ９で受信した高周波信号を帯域通過フィルタ１〜４で分離して受信するように構成された無線装置の構成例である。ここで帯域通過フィルタの各々は可変空洞共振器で構成されている。高周波信号Ｓ１〜Ｓ４は、本無線装置の使用条件に応じてその周波数帯域が可変制御され、従って帯域通過フィルタ１〜４の通過帯域も高周波信号Ｓ１〜Ｓ４の夫々の周波数帯域に対応して可変制御される。
【０００３】
この帯域通過フィルタの通過帯域制御は、帯域通過フィルタを構成する可変空洞共振器の調整軸をモータ（Ｂ）５によって回転させることにより行われ、モータ５の駆動制御は、駆動回路７が、モータ５の回転角をロータリーエンコーダ等で構成した検出回路６で検出しながら、その回転角が入力されたｆ−ＤＡＴＡ（周波数指示値）対応の値となるように制御する。なお、図２では詳細図示を省略したが、モータ５及び検出回路６は、複数の帯域通過フィルタ１〜４の各々の通過帯域を個別に制御できるものとする。帯域通過フィルタの構成例は、例えば特許文献１に開示されている。
【特許文献１】特開２００１−１０２８１０号公報
【発明の開示】
【発明が解決しようとする課題】
【０００４】
図３は、隣接する通過帯域をもつ２つの帯域通過フィルタの周波数特性を示している。２つの帯域通過フィルタの周波数特性をＡ及びＢ、それらの中心周波数（同調周波数）をａMHz及びｂMHz、離調周波数ｘ＝ｂ−ａMHzとすると、離調周波数ｘが十分大きくて２つの帯域通過フィルタの通過帯域が殆ど重ならないときは、周波数特性Ａ及びＢはともに設計された特性を満足する滑らかなカーブである。
【０００５】
しかし、離調周波数ｘが小さくなり、２つの帯域通過フィルタの通過帯域に重なりが生じると、一方の回路が他方の回路動作に影響を与えるようになり、図４に示したように双方の帯域通過フィルタの周波数特性（図４のＡ’、Ｂ’）が乱れる。
【０００６】
図４のような周波数特性の乱れがあっても、通過帯域内でのレベル変動が例えば２ｄＢ以内という規格が設定されている場合には、その範囲では通信が可能である。しかし、別の規格条件として、同調周波数から±ΔMHzでの減衰度が例えば３ｄＢ以上と設定されていると、上記のように通信可能であっても規格上は合格しないことになり、製品納入試験等で問題を生じる場合がある。即ち、通過帯域内での変動巾が２ｄＢを満たしている場合で、図４のように同調周波数が周波数特性の局部的な谷間になっていると、離調周波数ｘが十分大きい場合（図４の点線）の減衰度と±ΔｆMHzに於ける減衰度の差は規格条件、例えば３ｄＢ以上を満たしていても、谷間にある同調周波数に於ける減衰度からは規格条件、例えば±ΔｆMHzに於いて３ｄＢ以上という減衰条件を満たせないことがある。
【０００７】
本発明の目的は、隣接信号チャネルが比較的近接して帯域通過フィルタの通過帯域特性に乱れが生じているが、通信は可能な状態の場合に、規格条件を満たすように各帯域通過フィルタの同調周波数を調整できるようにして、見かけの規格条件不適格を少なくできるようにした可変空洞共振器の同調方法を提供することにある。
【課題を解決するための手段】
【０００８】
本発明は、複数信号の送受信を行うための、その各々が可変空洞共振器により構成され、かつ１つの高周波結合器に接続された複数の帯域通過フィルタと、前記可変空洞共振器の各々を制御して前記帯域通過フィルタの各々が入力された指示周波数をその同調周波数としてもつようにするための制御手段とを備えた無線装置の可変空洞共振器の同調方法であって、
前記指示周波数のテスト信号を出力可能な発振器と、この発振器出力を前記帯域通過フィルタの任意の１つに入力できるようにするための切替スイッチと、この切替スイッチを介して１つの帯域通過フィルタに入力された前記発振器からのテスト信号の当該帯域通過フィルタ通過後のレベルを検出する高周波検出器とを設けるとともに、
前記入力された指示周波数が前記帯域通過フィルタの同調周波数となるように前記制御手段による第１の制御を行ったのち、その同調周波数が隣接している２つの帯域通過フィルタ特性に乱れが生じる場合には、当該帯域通過フィルタの各々について、その帯域通過フィルタに指示された同調周波数と同じ周波数をもつテスト信号を前記発振器から出力して当該帯域通過フィルタへ入力するように前記制御手段により制御し、さらに前記第１の制御により設定した同調周波数を微小量変化させて前記高周波検出器の検出レベルを監視し、この検出レベルが極大値となった周波数を当該帯域通過フィルタの同調周波数とするように前記制御手段により制御することを特徴とする可変空洞共振器の同調方法を開示する。
【発明の効果】
【０００９】
隣接チャネル間隔が小さく、帯域通過フィルタ間の干渉がある場合に、それら帯域通過フィルタの同調周波数を少しずらしてみて極大となるようにすることで、同調周波数に於ける減衰量が干渉により生じた谷間にあってもそこからはずれ、従って規格上の減衰量を確保できるようになる。この結果、使用可能な各チャネル周波数の設定条件が実際の通信可能な条件に近づき、製品不合格になる可能性も減らせる効果がある。
【発明を実施するための最良の形態】
【００１０】
以下、本発明の実施の形態を説明する。図１は、本発明の同調方法を具備した無線装置の構成例を示すブロック図で、高周波結合器８と、モータ５、検出回路６及び駆動回路７によりその同調周波数が可変制御される帯域通過フィルタ１〜４とにより、複数の信号が送受信され、これによって各信号の周波数帯域が可変できる構成となっている点は従来の図２と同じである。図１の構成は、この従来回路に、その出力周波数が変えられる発振器１０、切替スイッチ１１及び高周波検出器１２が付加されたものとなっている。
【００１１】
図１において、帯域通過フィルタ１〜４の同調周波数を調整するときの動作フローを図４に示す。まず１つの帯域通過フィルタを選び、その同調周波数をｆ−ＤＡＴＡにより指示し、指示された同調周波数となるように駆動回路７、モータ５及び検出回路６による制御を行う。以下、他の帯域通過フィルタについても同様の動作により同調周波数を制御する。ここまでは従来の同調方法と同じである（処理５０）。
【００１２】
しかし従来の同調方法だけでは前述した問題点があるので、本発明は続いて各帯域通過フィルタ間の離調周波数を調べ、図４に示したような干渉が生じる帯域通過フィルタがあれば、そのような帯域通過フィルタに対して以下の処理を行う（処理５１）。まず１つの帯域通過フィルタ、例えば帯域通過フィルタ１を選択し（処理５２）、発振器１０からの単周波信号が帯域通過フィルタ１へ入力されるように、駆動回路７からの制御信号ＳＷにより切替スイッチ１１を制御し（処理５３）、次に駆動回路７は、発振器１０出力の周波数が帯域通過フィルタ１のｆ−ＤＡＴＡにより指示された同調周波数となるように制御信号ＯＣにより、発振器１０を制御する（処理５４）。次に駆動回路７は、モータ５を駆動して同調周波数を上下方向に微小量変化させ、高周波検出器１２出力が増大する変化方向を求め、さらにその方向への変化量を少しづつ増やして高周波検出器出力が極大となる点を求める。そしてこのときの周波数を当該帯域通過フィルタの同調周波数とする（処理５５）。以上の処理を、全ての帯域通過フィルタについて繰り返し行うと（処理５６でＮｏ）、同調調整の処理を終了する。
【００１３】
以上に示した本発明の同調方法によれば、離調周波数が小さくなって隣接チャネルの帯域通過フィルタ特性に干渉が生じた場合、その干渉によって生じた特性の谷間に同調周波数が一致することを防止できる。このため、上記のような干渉があるときでも通信が可能な場合、同調周波数が特性の谷間にあるために見かけ上の減衰特性が規格を満たさず、製品が不合格になる、あるいは使用可能な各チャネル周波数の設定条件が狭められてしまう、という不具合を防止できる。
【図面の簡単な説明】
【００１４】
【図１】本発明の同調方法を具備した無線装置の構成例を示すブロック図である。
【図２】従来の無線装置の構成例を示すブロック図である。
【図３】隣接チャネルの帯域通過フィルタ特性説明図である。
【図４】離調周波数が小さいときの隣接チャネルの帯域通過フィルタ特性説明図である。
【図５】本発明の同調方法の処理を示すフローチャートである。
【符号の説明】
【００１５】
１〜４    帯域通過フィルタ
５    モータ
６    検出回路
７    駆動回路
８    高周波結合器
１０    発振器
１１    切替スイッチ
１２    高周波検出器
【図１】
2006246274.tif 000003
【図２】
2006246274.tif 000004
【図３】
2006246274.tif 000005
【図４】
2006246274.tif 000006
【図５】
2006246274.tif 000007